【事件の表示】
　特許第２８５７３７２号「光ファイバコネクタ」の請求項１に係る発明の特許に対する特許異議の申立てについて、次のとおり決定する。
【結　論】
　訂正を認める。
　特許第２８５７３７２号の請求項１に係る発明の特許を維持する。
【理　由】
１．手続の経緯
　本件特許第2，857，372号に係る主な手続の経緯は以下のとおりである。
　特許出願　　　　　　平成８年６月２０日
　特許権設定登録　　　平成１０年１１月２７日
　特許公報発行　　　　平成１１年２月１７日
　異議の申立て　　　　平成１１年５月１８日
　訂正請求　　　　　　平成１２年５月３０日
　
２．訂正の適否
　（１）訂正の目的等の適否
　（1.1）訂正事項１
　特許明細書の特許請求の範囲の請求項1、2及び4を削除し、請求項3について項数を繰り上げて請求項1とするとともにその記載を独立形式に改め、
　「【請求項1】光ファイバの接続端部を貫通保持する円柱状のフェルールを備え、このフェルールの先端に接続案内のための円錐面をなすテーパ部を形成し、このテーパ部の先端に突状球面を形成し、この突状球面とフェルール中心線との交点を基準当接点とし、この基準当接点を通りフェルール中心線に対して傾斜する直線を突状球面と直交する基準法線とする光ファイバコネククにおいて、前記基準法線を含むフェルール中心の縦断面内にテーパ部の円錐中心線を定め、同縦断面内で基準法線と基準当接点で直交する当接直線を定めたときに、この当接直線がテーパ部の円錐面によって囲まれてできる線分の中点をフェルール中心線上に一致させるべくテーパ部の位置を定め、上記テーパ部は、その円錐中心線をフェルール中心線と平行に定めてなることを特徴とする光ファイバコネクク。」と訂正することは、特許請求の範囲の減縮に該当し、願書に添付した明細書に記載した事項の範囲内の訂正であり、実質上特許請求の範囲を拡張し又は変更するものでもない。
　（1.2）訂正事項２
　上記訂正事項１の訂正に伴い、特許請求の範囲の記載と発明の詳細な説明の記載との整合をとるため、明細書第3頁第26行ないし同第5頁第4行における段落【0012】ないし【0016】を以下のように訂正することは、明瞭でない記載の釈明に該当し、願書に添付した明細書に記載した事項の範囲内の訂正であり、実質上特許請求の範囲を拡張し又は変更するものでもない。
　「【0012】
　　【課題を解決するための手段】
　上記課題を解決するために、光ファイバコネクタを次のとおり構成する。
　　【0013】
　光ファイバの接続端部を貫通保持する円柱状のフェルールを備え、このフェルールの先端に接続案内のための円錐面をなすテーパ部を形成し、このテーパ部の先端に突状球面を形成し、この突状球面とフェルール中心線との交点を基準当接点とし、この基準当接点を通りフェルール中心線に対して傾斜する直線を突状球面と直交する基準法線とする光ファイバコネクタにおいて、前記基準法線を含むフェルール中心の縦断面内にテーパ部の円錐中心線を定め、同縦断面内で基準法線と基準当接点で直交する当接直線を定めたときに、この当接直線がテーパ部の円錐面によって囲まれてできる線分の中点をフェルール中心線上に一致させるべくテーパ部の位置を定めること、により、光ファイバコネクタを構成する。
　　【0014】
　上記基準法線と基準当接点で直交する当接直線がテーパ部の円錐面によって囲まれてできる線分の中点の位置をフェルール中心線上に定めたことから、テーハ部の円錐面と傾斜面をなす当接平面とによって定まる傾斜台形を基準形状として弾性研磨板によって球面を研磨形成すれば、フェルール先端の当接平面と対応する上記当接直線上に定めたテーパ部の円錐面によって囲まれる中点を頂点とする球面が形成されるので、上記基準当接点を頂点とする突状球面、すなわち、基準当接点で基準法線を有する突状球面が得られる。
　　【0015】
　さらに、上記光ファイバコネクタのテーパ部は、その円錐中心線をフェルール中心線と平行に定めて構成する。
　　【0016】
　上記構成により、フェルール中心線の偏心によって簡易に構成され、かつ、上記当接直線が平行移動して突状球面位置が変動した時の頂点の移動軌跡は、基準当接点とテーパ部の円錐頂点とを通る直線として得られるので、球面研磨時の研磨深さに応じて突状球面位置が変動した場合に、その頂点は平行移動した当接直線と上記直線との交点によって示され、その偏心量はフェルール中心線からの距離として示される。」
　
　（２）独立特許要件
　(2.1)本件発明
　訂正された特許請求の範囲の請求項１に記載されている事項により特定される発明（以下「本件発明」という。）は、以下のとおりである。
　「【請求項１】光ファイバの接続端部を貫通保持する円柱状のフェルールを備え、このフェルールの先端に接続案内のための円錐面をなすテーパ部を形成し、このテーパ部の先端に突状球面を形成し、この突状球面とフェルール中心線との交点を基準当接点とし、この基準当接点を通りフェルール中心線に対して傾斜する直線を突状球面と直交する基準法線とする光ファイバコネククにおいて、前記基準法線を含むフェルール中心の縦断面内にテーパ部の円錐中心線を定め、同縦断面内で基準法線と基準当接点で直交する当接直線を定めたときに、この当接直線がテーパ部の円錐面によって囲まれてできる線分の中点をフェルール中心線上に一致させるべくテーパ部の位置を定め、上記テーパ部は、その円錐中心線をフェルール中心線と平行に定めてなることを特徴とする光ファイバコネクタ。」
　
　(2.2)刊行物記載の発明
　異議申立人の提示する甲第１号証（米国特許第5,459,806号明細書、以下「刊行物１」という。）には、その要約〔57〕欄のにおいて、
「光ファイバフェルールはそのフェルールの軸中心線に光ファイバコアが設けられており、フェルールの先端縁は面取りされている。前記フェルールはまた中心線から角度βだけ傾いた端面を持っている。面取りされている光ファイバの先端縁は、研磨された端面の頂点から凸面の直径上の対向する点までの距離が等しくなるような角度を持っている。」と記載され、また、発明の詳細な説明（第3欄第9行ないし同第4欄第8行）において、
「FIG6を参照すると、2で示されるファイバフェルールは、ファイバ4を含みフェルールの先端は面取りされた先端縁（lead-in surface）6と凸表面8を持っている。FIG6に示されている実施例では、前記凸表面8は15mmの曲率半径を持ち、凸曲面はファイバフェルールの中心線に対して角度βだけズレている。前述した角度βの典型的な範囲は7゜−15゜の範囲であり、βは9゜である。
　またFIG6に示されているように、フェルールの面取りされた表面6は非対象に面取りされており、面取りされた面は、角度要素6aおよび6bの示すように、異なった先端緑を持っている。FIG6に示された幾何学的形状では、β＝9゜で要素6a＝30゜、そして6b＝26゜である。FIG7に示すように、非対称面取り面26a，26bは凸表面を形成しており、頂点30からの距離x1とx2は直径上の対対蹠の点にあり、等距離であり、前記頂点30は前記ファイバの中心線と前表面と一致するように維持されている。これにより、オフセット角度を同じに保つかぎり、フェルール部材の端面からの研磨量にかかわらず、一定に維持されることになる。
　FIG7とFIG8は、フェルール22と32を示しており、それぞれ異なった曲率半径の表面をもち、そして面取りされた先端縁が必要な幾何学形状を保っている。FIG9は、必要な形状のオフセット端面をもつフェルールを示しており、ここでは端面は平坦面である。
　FIG10は、FIG6と同様に、フェルール内で2本のファイバが終端されている状態を示している。拡大して示されているように、前記2つのフェルールはファイバのちょうど中心で物理的に接触しており、2つのファイバ間の最大の光伝送を確保している。
　本発明の好ましい実施形態においては、フェルール2、22、32または42（FIG6〜FIG9）は、セラミック材料から構成されている。この材料は、このフェルールに必要な円筒形状に引き抜きによりまたはモールドにより、形作られる。面取りされた先端縁6は、研磨によりまたは他の手段により、例えば当初からセラミックフェルールに先端縁をもつ状態でモールドされる。本発明は、種々の曲率半径の凸端面や種々のオフセット角β（FIG6）の端面に応用できる。本発明は、金属やプラスチックのフェルール材料にも適用できる。
　都合の良いことには、前述の発明は、光ファイバフェルールとその製造方法を提供するものであり、ここにおいて光ファイバフェルールは面取りされた先端緑をもちフェルールの先端はファイバフェルールの先端からずれているがフェルールの端面の頂点はフェルールとファイバの中心線と一致している。また、都合の良いことには、この頂点は、端面の研磨または研削の度合にかかわらず、フェルールとファイバのセンタに維持される。これにより、フェルールまたはファイバの端面に傷がついたときに、前記フェルールの先端は再度研磨され、傷つけられた部分を再度取り除くことができ、これにより結合するファイバとフェルール間に完全な伝達を維持することができる。」と記載されている。
　同じく甲第２号証（特開平３−２１０５０９号公報、以下「刊行物２」という。）には、「中心に光ファイバを取りつける貫通孔が設けられている基部、前記基部と同軸で小さい径で光ファイバを取りつける貫通孔が設けられている直円筒状の先端部、前記先端部と前記基部を連絡する面取り斜面を持つ連結部からなるフェルールボディと、前記貫通孔に固定された前記先端部と共に球面研磨された先端部をもつ光ファイバからなる光コネクタフェルール。」（特許請求の範囲第１項）が記載されている。
　
　(2.3)比較及び検討
　本件発明においては、「テーパ部は、その円錐中心線をフェルール中心線と平行に定めて」あるが、上記刊行物１ないし２には、上記本件発明の特徴点を示す記載がなく示唆もない。
　そして、本件第１発明は、上記特徴的構成を有することにより、フェルール中心線の偏心により簡単に構成されるという格別の効果を奏するものであるので、上記刊行物１ないし２に記載された発明に基づいて当業者が容易になし得たこととすることはできない。
　
　（３）この項のむすび
　以上のとおりであるので、本件訂正については、特許法第１２０条の４第２項の規定及び同条第３項において準用する第１２６条第２項ないし第４項の規定、但し、平成７年７月１日より前の特許出願の特許に係る明細書又は図面についての訂正は、特許法等の一部を改正する法律（平成６年法律第１１６号）附則第６条第１項の規定により、なお従前の例によるとされるので、同法律により改正される前の特許法第１２６条第１項ただし書きないし第３項の規定を適用し、上記訂正を認める。
　
３．特許異議申立について
　特許異議申立人は、甲第１号証を提示し、本件発明は、甲第１号証刊行物記載の発明に基づいて当業者が容易になし得たものであるから、特許法第２９条第２項の規定により取り消すべきであると主張する。
　しかしながら、上記(2.1)ないし(2.3)記載の理由により、本件発明が上記甲第１号証刊行物記載の発明に基づいて当業者が容易になし得たことと認めることはできない。
　
４．むすび
　以上のとおりであるので、本件請求項１に係る発明の特許は、特許異議申立人の提示した証拠及び理由によっては、取り消すことはできない。
　よって、結論のとおり決定する。
【異議決定日】
平成１２年６月６日（２０００．６．６）
【訂正の要旨】
訂正の要旨
１．訂正事項１
　特許請求の範囲の減縮を目的として、特許請求の範囲の請求項１、２、４を削除し、請求項３について項数を繰り上げて請求項１とするとともにその記載を独立形式に改め、
「【請求項１】光ファイバの接続端部を貫通保持する円柱状のフェルールを備え、このフェルールの先端に接続案内のための円錐面をなすテーパ部を形成し、このテーパ部の先端に突状球面を形成し、この突状球面とフェルール中心線との交点を基準当接点とし、この基準当接点を通りフェルール中心線に対して傾斜する直線を突状球面と直交する基準法線とする光ファイバコネククにおいて、前記基準法線を含むフェルール中心の縦断面内にテーパ部の円錐中心線を定め、同縦断面内で基準法線と基準当接点で直交する当接直線を定めたときに、この当接直線がテーパ部の円錐面によって囲まれてできる線分の中点をフェルール中心線上に一致させるべくテーパ部の位置を定め、上記テーパ部は、その円錐中心線をフェルール中心線と平行に定めてなることを特徴とする光ファイバコネクタ。」と訂正する
２．訂正事項２
　上記訂正事項１の訂正に伴い、特許請求の範囲の記載と発明の詳細な説明の記載との整合をとるため、明瞭でない記載の釈を目的として、明明細書第３頁第２６行乃至同第５頁第４行における段落【００１２】乃至【００１６】を以下のように訂正する。
　「【００１２】
　　【課題を解決するための手段】
　上記課題を解決するために、光ファイバコネクタを次のとおり構成する。
　　【００１３】
　光ファイバの接続端部を貫通保持する円柱状のフェルールを備え、このフェルールの先端に接続案内のための円錐面をなすテーパ部を形成し、このテーパ部の先端に突状球面を形成し、この突状球面とフェルール中心線との交点を基準当接点とし、この基準当接点を通りフェルール中心線に対して傾斜する直線を突状球面と直交する基準法線とする光ファイバコネクタにおいて、前記基準法線を含むフェルール中心の縦断面内にテーパ部の円錐中心線を定め、同縦断面内で基準法線と基準当接点で直交する当接直線を定めたときに、この当接直線がテーパ部の円錐面によって囲まれてできる線分の中点をフェルール中心線上に一致させるべくテーパ部の位置を定めること、により、光ファイバコネクタを構成する。
　　【００１４】
　上記基準法線と基準当接点で直交する当接直線がテーパ部の円錐面によって囲まれてできる線分の中点の位置をフェルール中心線上に定めたことから、テーハ部の円錐面と傾斜面をなす当接平面とによって定まる傾斜台形を基準形状として弾性研磨板によって球面を研磨形成すれば、フェルール先端の当接平面と対応する上記当接直線上に定めたテーパ部の円錐面によって囲まれる中点を頂点とする球面が形成されるので、上記基準当接点を頂点とする突状球面、すなわち、基準当接点で基準法線を有する突状球面が得られる。
　　【００１５】
　さらに、上記光ファイバコネクタのテーパ部は、その円錐中心線をフェルール中心線と平行に定めて構成する。
　　【００１６】
　上記構成により、フェルール中心線の偏心によって簡易に構成され、かつ、上記当接直線が平行移動して突状球面位置が変動した時の頂点の移動軌跡は、基準当接点とテーパ部の円錐頂点とを通る直線として得られるので、球面研磨時の研磨深さに応じて突状球面位置が変動した場合に、その頂点は平行移動した当接直線と上記直線との交点によって示され、その偏心量はフェルール中心線からの距離として示される。」
（５４）【発明の名称】
光ファイバコネクタ
（５７）【特許請求の範囲】
　【請求項１】　光ファイバの接続端部を貫通保持する円柱状のフェルールを備え、このフェルールの先端に接続案内のための円錐面をなすテーパ部を形成し、このテーパ部の先端に突状球面を形成し、この突状球面とフェルール中心線との交点を基準当接点とし、この基準当接点を通りフェルール中心線に対して傾斜する直線を突状球面と直交する基準法線とする光ファイバコネクタにおいて、前記基準法線を含むフェルール中心の縦断面内にテーパ部の円錐中心線を定め、同縦断面内で基準法線と基準当接点で直交する当接直線を定めたときに、この当接直線がテーパ部の円錐面によって囲まれてできる線分の中点をフェルール中心線上に一致させるべくテーパ部の位置を定め、上記テーパ部は、その円錐中心線をフェルール中心線と平行に定めてなることを特徴とする光ファイバコネクタ。
【発明の詳細な説明】
　　　【０００１】
　　【発明の属する技術分野】
　本発明は、光通信用ファイバの接続部に使用する光ファイバコネクタに関し、特に、超高速通信に必要な寸法精度を容易に確保することができる光ファイバコネクタに関する。
　　　【０００２】
　　【従来の技術】
　光通信用ファイバケーブルの接続に使用する光ファイバコネクタは、伝送性を確保するために、接続部の挿入損失を抑え、かつ、戻り光損失を抑えることが要求されるので、光ファイバの端部を保持するフェルール先端の当接面は、その伝送性能に応じて、平面、凸球面等が用いられる。
　　　【０００３】
　画像伝送等の超高速通信用の光ファイバの接続に使用する光ファイバコネクタは、図３の傾斜凸球面により当接するコネクタ先端部の形状図の如く、傾斜凸球面を用いる。この傾斜凸球面１０１は、その凸球面により、光ファイバ１０２の光軸ｆ上の点１０３において対向する光ファイバ１０２の端面を互いに直接接触させ、また、この当接点１０３で凸球面１０１に接する当接平面１０４を傾斜させることにより、挿入損失と戻り光損失を抑えることができる。符号１０６は、光ファイバコネクタの先端で光ファイバ１０２を保持するフェルールを示す。
　　　【０００４】
　一方、光ファイバコネクタは、図３のコネクタの先端にテーパ部を形成した断面形状図を示す図４の如く、円柱状のフェルール１０６の先端の傾斜凸球面１０１の外周部に接続案内用の円錐状をなすテーパ部１０７を備える。この傾斜凸球面１０１は、一般の弾性研磨板によって球面研磨した場合には、球面の頂点１０８が光軸をなすフェルール中心線ｆから外れた位置に形成される。
　　　【０００５】
　その理由は以下のとおりである。
　弾性研磨板を用いた一般的な球面研磨加工は、突状部の端面を基準として研磨することにより、球面の頂点における当接平面１０４の傾斜角を確保して上記端面の中心点を頂点とする高精度の研磨球面を容易に形成することができる。
　　　【０００６】
　一方、研磨の基準形状をなす突状部の端面の中心点は、当接平面１０４が傾斜することから、この当接平面１０４とテーパ部１０７の円錐面１０７ａとによってできる突状部１０４ａの中心点１０８は、光軸をなすフェルール中心線ｆから外れた偏心位置をなす。
　　　【０００７】
　この中心点１０８を頂点として研磨球面が形成されるので、上記当接平面１０４を基準とする傾斜凸球面１０１の頂点１０８は、フェルール中心線ｆ上の点１０９から偏位量Ｅの誤差を生じることとなる。
　　　【０００８】
　この頂点の偏心により伝送性能の低下を招くことから、上記光ファイバコネクタは超高速通信用の光ファイバコネクタに適用することができない。さらに、上記偏位は弾性研磨板によって研磨した際の研磨深さとともに増加することから、研磨調整によっても解決することができない。
　　　【０００９】
　このような偏心を避けるために、フェルール中心線ｆ上の点１０９を回転中心として弾性研磨板を回転させて研磨する方法や、図５に示すごとく、テーパ部１０７の先端に小径円柱部１１０を形成し、この小径円柱部１１０の先端に傾斜凸球面１０１を形成する方法が提案されている。
　　　【００１０】
　　【発明が解決しようとする課題】
　しかしながら、球面の頂点とすべきフェルール中心線ｆ上の点１０９を回転中心とする上記研磨方法は、回転軸の精度を要する専用の研磨装置と、顕微鏡による高精度の位置合わせとを必要とし、また、テーパ部と傾斜凸球面との間に小径円柱部を介設する方法は、フェルールの加工工程が複雑化するとともに、小径円柱部によって基準当接点がテーパ部から突出することにより先端部の剛性低下を招き、伝送が不安定となるおそれが生じ、耐久性上の問題点を抱えている。
　　　【００１１】
　本発明の目的は、簡易な加工によって製造することができ、かつ、安定した効率の良い伝送を可能とする超高速通信用の光ファイバコネクタを得ることにある。
　　　【００１２】
　　【課題を解決するための手段】
　上記課題を解決するために、光ファイバコネクタを次のとおり構成する。
　　　【００１３】
　光ファイバの接続端部を貫通保持する円柱状のフェルールを備え、このフェルールの先端に接続案内のための円錐面をなすテーパ部を形成し、このテーパ部の先端に突状球面を形成し、この突状球面とフェルール中心線との交点を基準当接点とし、この基準当接点を通りフェルール中心線に対して傾斜する直線を突状球面と直交する基準法線とする光ファイバコネクタにおいて、前記基準法線を含むフェルール中心の縦断面内にテーパ部の円錐中心線を定め、同縦断面内で基準法線と基準当接点で直交する当接直線を定めたときに、この当接直線がテーパ部の円錐面によって囲まれてできる線分の中点をフェルール中心線上に一致させるべくテーパ部の位置を定めることにより、光ファイバコネクタを構成する。
　　　【００１４】
　上記基準法線と基準当接点で直交する当接直線がテーパ部の円錐面によって囲まれてできる線分の中点の位置をフェルール中心線上に定めたことから、テーパ部の円錐面と傾斜面をなす当接平面とによって定まる傾斜台形を基準形状として弾性研磨板によって球面を研磨形成すれば、フェルール先端の当接平面と対応する上記当接直線上に定めたテーパ部の円錐面によって囲まれる中点を頂点とする球面が形成されるので、上記基準当接点を頂点とする突状球面、すなわち、基準当接点で基準法線を有する突状球面が得られる。
　　　【００１５】
　さらに、上記光ファイバコネクタのテーパ部は、その円錐中心線をフェルール中心線と平行に定めて構成する。
　　　【００１６】
　上記構成により、フェルール中心線の偏心によって簡易に構成され、かつ、上記当接直線が平行移動して突状球面位置が変動した時の頂点の移動軌跡は、基準当接点とテーパ部の円錐頂点とを通る直線として得られるので、球面研磨時の研磨深さに応じて突状球面位置が変動した場合に、その頂点は平行移動した当接直線と上記直線との交点によって示され、その偏心量はフェルール中心線からの距離として示される。
　　　【００１７】
　　【発明の実施の形態】
　図１は本発明の光ファイバコネクタの先端の縦断形状図である。
　光ファイバコネクタ１の先端は、図示せぬ光ファイバをその光軸ｆに沿って貫通保持する円柱状のフェルール２からなり、その先端は、接続案内用の円錐面をなすテーパ部３を介設した突状球面４をなす。
　　　【００１８】
　この突状球面４が、接続相手のコネクタの突状球面と対向して当接する際の当接点となる基準当接点５は、光軸をなすフェルール中心線ｆ上に定められ、同基準当接点５における突状球面４の法線をなす基準法線ｎは、フェルール中心線ｆに対して一定の傾斜角度θに定められる。これらフェルール中心線ｆと基準法線ｎとによって定められる平面は、図１の断面位置をなし、光ファイバコネクタ１の光軸ｆを含む対称面となる。
　　　【００１９】
　テーパ部３は、フェルール中心線ｆと基準法線ｎを含む光ファイバコネクタ１の上記縦断面内において、テーパ部３の円錐中心線３ｂを同縦断面内に定め、上記基準法線ｎに対して基準当接点５で直交する当接平面と対応する直線でなる当接直線６を定めたときに、この当接直線６がテーパ部３の円錐面３ａによって囲まれてできる線分６ａの中点、すなわち、上記当接直線６がテーパ部３の円錐面３ａと２点７，８において交差してその両端を区切られ、この区切られた線分６ａの中点を基準当接点５の位置に定める。
　　　【００２０】
　また、フェルール２の先端に円錐面３ａと当接平面６とからなり傾斜した台形状をなす傾斜台形を基準形状として定め、この基準形状について弾性研磨板によって研磨加工することにより突状球面４を形成する。
　　　【００２１】
　その具体的な加工手順は、基準当接点５を通る一定傾斜の当接平面６を研磨等の加工量を含めた寸法で円柱状のフェルール２の先端に形成し、上記条件を満たすようにフェルール中心線ｆから一定量を偏心してテーパ部３を研削加工することによってフェルール先端に傾斜台形を形成し、この傾斜台形を基準形状として弾性研磨板上で所定の押し付け力により球面を研磨加工する。
　　　【００２２】
　突状球面４の研磨は、ダイヤモンド研磨布を弾性板上に保持し、この弾性研磨板を自転させつつ公転させる一般の弾性研磨装置により、または、固定した弾性研磨板上で一定角度に保持するための治具を介してフェルール２の先端を手操作によって研磨することにより、基準当接点５を頂点とする研磨球面を簡易に形成することができる。この場合において、テーパ部３の円錐中心線３ｂをフェルール中心線ｆと平行に離間することにより、フェルール２を偏心して保持する加工治具を用いてフェルール２の先端のテーパ部３を簡易に加工することができる。
　　　【００２３】
　図２は図１のフェルール先端形状の解析図である。
　基準当接点５は光ファイバコネクタ１のフェルール中心線ｆをなす直線上に定めた点であり、この基準当接点５を通り、フェルール中心線ｆに対して一定の傾斜角θをなす基準法線ｎと基準当接点５において直交する当接直線６は、基準当接点５を通って突状球面４と接する当接平面を表わす。
　　　【００２４】
　上記基準当接点５は、角度２αの円錐頂角を有するテーパ部３の円錐面３ａと上記当接直線６との交点７，８によって区切られる一定長さ２Ｂの線分６ａの中点位置をなし、また、テーパ部３の円錐中心線３ｂはフェルール中心線ｆから平行に離間する。
　　　【００２５】
　したがって、テーパ部３の円錐面３ａと傾斜面をなす当接平面６とによる傾斜台形を基準形状として弾性研磨板により球面を研磨形成した場合に、研磨形成される球面は上記中点をその頂点として形成されることから、基準当接点５を頂点とする突状球面４を形成することができる。
　　　【００２６】
　また、基準当接点５と円錐頂点１１とを通り、フェルール中心線ｆと一定の傾斜角βをなす直線１２は、基準当接点５が上記２点７，８の中点をなすことから、上記当接直線６が平行移動した際のその中点は常に直線１２上に位置し、すなわち、この直線１２は基準当接点５の移動軌跡を表わす軌跡線をなす。
　　　【００２７】
　この軌跡線１２は、上記傾斜台形を基準形状として弾性研磨板によって球面を形成した場合に、その研磨深さの変動と対応して球面位置が変動した時の研磨球面の頂点の移動位置を表わす。この研磨球面の頂点の偏心量は、フェルール中心線ｆから直線１２までの距離で表わされ、また、球面位置の変動に対応して軌跡線１２上で基準当接点５を中心として頂点が移動することから、フェルール中心線ｆとのなす角βが小なる時は、研磨深さの変動と対応して偏心量を非常に小なる範囲に抑えることができる。
　　　【００２８】
　上記関係を定量的に解析すれば、フェルール中心線ｆから点７，８までの距離Ａは、積算記号を＊と表記すると、
Ａ＝Ｂ＊ｃｏｓ（θ）にて表わされ、円錐中心線３ａとフェルール中心線ｆとの距離Ｓは、
Ｓ＝Ａ＊ｔａｎ（θ）＊ｔａｎ（α）であり、基準当接点の移動線の傾斜角βは、正接関数の２乗をｔａｎ２と表記すると、
ｔａｎ（β）＝ｔａｎ（θ）＊ｔａｎ２（α）にて表わされる。
　具体例について見れば、（θ）＝８ｄｅｇ、α＝３０ｄｅｇとすると、
Ｓ＝Ａ＊０．０８１１、ｔａｎ（β）＝０．０４６８を得る。
　　　【００２９】
　上記において、テーパ部３の円錐中心線３ｂとフェルール中心線ｆとの平行配置に代えて、円錐頂点１１をフェルール中心線ｆ上に定めた場合は、基準当接点５の移動軌跡を表わす軌跡線がフェルール中心線ｆと一致することから、基準当接点５は、研磨深さに関わらず、常にフェルール中心線ｆ上となることから、理論上の偏心を完全に排除することができる。
　　　【００３０】
　上記頂点位置は、除算記号を／と表記すると、基準法線ｎ上で基準当接点５から球の外方側にＢ／ｔａｎ（２α）の位置を中心とする半径Ｂ／ｓｉｎ（２α）の円とフェルール中心線ｆとの交点として定められる。
　　　【００３１】
　上述のように本発明の光ファイバコネクタは、テーパ部の円錐面が囲む当接平面の中心をフェルール中心線上にさだめてなるフェルール先端形状により、フェルール先端の突状球面の加工誤差を含めた偏心誤差を抑え、かつ、当接面の傾斜角度を確保することが可能となるので、超高速通信としての寸法精度と安定した伝送を簡易な加工により確保することができる。
　　　【００３２】
　　【発明の効果】
　本発明による光ファイバコネクタは、基準法線と基準当接点で直交する当接直線がテーパ部の円錐面によって囲まれてできる線分の中点の位置をフェルール中心線上に定めたことから、テーパ部の円錐面と傾斜面をなす当接平面とによって定まる傾斜台形を基準形状として弾性研磨板によって球面を研磨形成すれば、フェルール先端の当接平面と対応する上記当接直線上に定めたテーパ部の円錐面によって囲まれる中点を頂点とする球面が形成されるので、上記基準当接点を頂点とする突状球面、すなわち、基準当接点で基準法線を有する突状球面が得られる。
　　　【００３３】
　上記光ファイバコネクタは、その基準当接点を光ファイバコネクタのフェルール中心線上に定め、同基準当接点を通る基準法線をフェルール中心線に対して一定の傾斜角とすることから、フェルールの先端を互いに対向当接した際に、それぞれの突状球面は基準当接点において当接し、その当接平面は上記傾斜角を確保することができる。
　　　【００３４】
　テーパ部の円錐中心線をフェルール中心線と平行に定めた場合は、フェルール中心線の偏心によって簡易に構成され、かつ、上記当接直線が平行移動して突状球面位置が変動した時の頂点の移動軌跡は、基準当接点とテーパ部の円錐頂点とを通る直線として得られるので、球面研磨時の研磨深さに応じて突状球面位置が変動した場合に、その頂点は平行移動した当接直線と上記直線との交点によって示され、その偏心量はフェルール中心線からの距離として示される。
　　　【００３５】
　したがって、弾性研磨板による一般の簡易な研磨加工により、頂点位置が基準当接点から偏心することのない突状球面を形成することができる。その研磨深さの変動による項点位置の偏心量は、研磨深さの変動と対応するので小さく抑えることができる。また、テーパ部は、その円錐中心線をフェルール中心線から平行に偏心して簡易に加工することができる。
　　　【００３６】
　このように、本発明の光ファイバコネクタは、その特徴ある構成により、簡易に加工することができ、かつ、寸法精度と安定した伝送を確保することができるフェルール先端形状を有する超高速通信に適する光ファイバコネクタを得ることができるという効果を奏する。
　　　【００３７】
　テーパ部の円錐頂点をフェルール中心線上に定めた場合は、基準当接点の移動軌跡を表わす軌跡線がフェルール中心線と一致することから、基準当接点は、研磨深さに関わらず、その偏心が完全に排除される。
【図面の簡単な説明】
　　【図１】
　本発明の光ファイバコネクタの先端の縦断形状図
　　【図２】
　図１のフェルール先端形状の解析図
　　【図３】
　傾斜凸球面により当接するコネクタ先端部の形状図
　　【図４】
　テーパ部を形成した図３のコネクタの先端の断面形状図
　　【図５】
　小径円柱部を形成したフェルール先端部の構成例を示す断面形状図
　　【符号の説明】
　１　　光ファイバコネクタ
　２　　フェルール
　３　　テーパ部
　３ａ　円錐面
　３ｂ　円錐中心線
　４　　突状球面
　５　　基準当接点
　６　　当接直線（当接平面）
　６ａ　線分
　７，８　　交点
　１１　円錐頂点
　１２　軌跡線
　ｆ　　フェルール中心線（光軸）
　ｎ　　基準法線
　α　　テーパ傾斜角
　β　　傾斜角
　θ　　傾斜角度